(57)【特許請求の範囲】
【請求項１】
水平な取付プレートの下面に金型を両側から固定金具で挟んで締着する金型のクランプ装置において、中央部を取付プレート上に立設した支持部材にピン連結した回動リンクを該固定金具の上方にそれぞれ設け、該回動リンクの一端を取付プレートを貫通して該固定金具に係止した引込リンクの上部に連結し、該回動リンクの他端は中央部をネジ部材で取付プレートに係止した作用リンクの両端部にそれぞれ係止したことを特徴とする金型のクランプ装置。
【請求項２】
水平な取付プレートの下面に金型を両側から固定金具で挟んで締着する金型のクランプ装置において、一端を取付プレート上に立設した支持部材にピン連結した回動リンクを該固定金具の上方にそれぞれ設け、該回動リンクの中央部を取付プレートを貫通して該固定金具に係止した引込リンクの上部に連結し、該回動リンクの他端は中央部をネジ部材で取付プレートに係止した作用リンクの両端部にそれぞれ係止したことを特徴とする金型のクランプ装置。
【発明の詳細な説明】
【０００１】
【発明の属する技術分野】
本発明は、金型のクランプ装置に係り、とくに、金型を取付プレートの下面に両側から固定金具で締着する手動のクランプ装置に関する。
【０００２】
【従来の技術】
例えば、粉末成型機用ダイセットは、図８に示すように、上下方向に摺動可能に設けられた取付プレート１の下面に上パンチ７を、取付プレート３の上面に下パンチ１１を固定金具８，１２を用いて締付ボルト９，１３で固定している。
【０００３】
なお、図８において、２はダイプレート、１５はコアロッド、１６はホルダーで、１７は締付ボルトである。また、５および６はガイド棒、１８および１９は成形機へ取り付けるために設けられた取付金具である。
この、上パンチ７の取り付けは、上パンチ７を支えながらの上向き作業であり、両側の固定部材を同時に締着できないので芯がズレ易いという問題がある。
【０００４】
そこで、出願人は先に金型を取付プレートへ精度良く固定できる金型クランプ装置を開発した（特開２０００−１４０９６１号）。
この金型クランプ装置は図７に示すように、取付プレート１の下面にホルダー４１を固設し、これに上パンチ７を固定金具４６で係止し、固定金具４６をクランプレバー４２で締着している。
【０００５】
すなわち、クランプレバー４２はそれぞれ回動リンク４４を介して伸縮ロッド４５で連結されており、伸縮ロッド４５をスパナで回動して縮小させることにより、ピン４３を支点にして回動させ、金型の両側の固定金具４６を同時に締め付けるようにしている。
【０００６】
【発明が解決しようとする課題】
上記特開２０００−１４０９６１号の金型クランプ装置は、金型を両側からクランプレバーで同時に同じ締付力で締着するすることができるので、金型の芯がズレることなく精度よく金型を固定することができる。
【０００７】
しかしながら、この金型クランプ装置は取付プレートの下側に伸縮ロッド、回動リンク、クランプレバーなど固定金具を締め付ける手段を設けるためのスペースＬ（図７参照）を必要としている。
このため、図８に示したように、上パンチを固定金具で直接取付プレートへ締結する場合に比べ上パンチの高さ寸法が制限されるという欠点がある。
【０００８】
そこで、本発明は、金型の大きさが制限されることなく、金型を精度よく締着できるクランプ装置を提供することを目的とするものである。
【０００９】
【課題を解決するための手段】
本発明は上記目的を達成するため、請求項１の発明では次の手段を採った。
水平な取付プレートの下面に金型を両側から固定金具で挟んで締着する金型のクランプ装置において、中央部を取付プレート上に立設した支持部材にピン連結した回動リンクを該固定金具の上方にそれぞれ設け、該回動リンクの一端を取付プレートを貫通して該固定金具に係止した引込リンクの上部に連結し、該回動リンクの他端は中央部をネジ部材で取付プレートに係止した作用リンクの両端部にそれぞれ係止したことを特徴としている。
【００１０】
本発明は水平な取付プレートの下面に金型を固定するための手動のクランプ装置であり、金型の両側から固定金具で締着させるものに適用される。
したがって、例えば、粉末成型機用ダイセットの下パンチのように取付プレートの上面に取り付けるものや、金型自体にボルト孔を設けて取付プレートに直接締着するものは除かれる。また、油圧や空圧を使用するものも除かれる。
【００１１】
固定金具は金型のフランジ部に係止させるものが一般的であるが、とくにこれに限定されない。また、金型は、粉末成形するためのものに限定するものではなく、金属のプレスや樹脂の成形用なども含まれる。
回動リンクは中央部を取付プレート上に立設した支持部材にピン連結しており、ピンを支点として上下方向に回動可能である。そして、回動リンクの一端は引込リンクが連結され、他端は作用リンクが係止されている。
【００１２】
回動リンクは両側の固定金具に対しそれぞれ設ける。なお、両回動リンクは必ずしも平行でなくてもよい。また、両回動リンクと作用リンクとを一体のものとしてもよい。
引込リンクは取付プレートを貫通し、下端は固定金具に係止している。なお、金型の取付プレートへの取り付け、取り外しを容易にするため、固定金具には引込リンクに対してスライドできるように長穴を設けるのが望ましい。
【００１３】
作用リンクは中央部をネジ部材で取付プレートに締結され、両端はそれぞれ回動リンクに係止している。ネジ部材は作用リンクへ設けて上から締め込んでもよいし、取付プレートに設けて下から締め込むようにしてもよい。また、上または下のいずれからでも締め込み可能にしてもよい。
【００１４】
作用リンクをネジ部材で締め込むことにより、２本の回動リンクは同時に支持部材との連結部のピンを支点として回動し、引込リンクを引き上げるので、金型の両側の固定金具は同時に金型を締結する。
なお、固定金具の締着力は、回動リンクの支点（支持部材の位置）を適宜選定してレバー比を変えることによって所望する値にすればよい。
【００１５】
請求項２の発明は、水平な取付プレートの下面に金型を両側から固定金具で挟んで締着する金型のクランプ装置において、一端を取付プレート上に立設した支持部材にピン連結した回動リンクを該固定金具の上方にそれぞれ設け、該回動リンクの中央部を取付プレートを貫通して該固定金具に係止した引込リンクの上部に連結し、該回動リンクの他端は中央部をネジ部材で取付プレートに係止した引きリンクの両端部にそれぞれ係止したことを特徴としている。
【００１６】
請求項１の発明との相違は、引込リンクを回動リンクの中央部に連結し、回動リンクの一端を取付プレート上に立設した支持部材にピン連結した点である。回動リンクの他端は中央部をネジ部材で取付プレートに係止した作用リンクの両端部にそれぞれ係止している。
【００１７】
作用リンクをネジ部材で上昇させることにより、２本の回動リンクは同時にその一端を支点として回動し、引込リンクを引き上げて金型の両側の固定金具を同時に締結する。他の点については請求項１の発明と同じであるので省略する。
【００１８】
【発明の実施の形態】
以下本発明を図面に示す実施の形態に基づいて説明する。図１ないし図４は請求項１の発明の金型のクランプ装置を粉末成型機用ダイセットの上パンチに適用した例を示すもので、図１〜図３はその全体構成を示し、図中従来と同じものは同符号を付している。また、図４は斜視図である。
【００１９】
金型としての上パンチ７は、ダイプレート２に連結されたガイド棒５によって上下に摺動可能に取り付けられた取付プレート１の下面に取り付けられる。なお、図１〜図３ではダイプレート２以下の構成は従来（図８）と同じであるので、省略している。
【００２０】
金型のクランプ装置は、中央部を取付プレート１上に立設した支持部材２６に連結した回動リンク２２と、回動リンク２２の一端と固定金具２９を連結した引込リンク２５と、回動リンク２２の他端に係止する作用リンク２１とで構成されている。なお、図４では図を見やすくするため取付プレート１と固定金具２９は省略している。
【００２１】
回動リンク２２は取付プレート１の上方に２本平行に設けられている。回動リンク２２の中央部には楕円状の孔が設けられ、取付プレート１上にネジで締結された支持部材２６にピン２８で連結されている。そして、回動リンク２２の一端はフォーク状に形成され、引込リンク２５がピン２７で連結されている。したがって、回動リンク２２はピン２８を支点として上下方向に回動可能である。
【００２２】
引込リンク２５は取付プレート１に設けられた孔を貫通し、下端は一段径の大きな係止部２５ａを備えている。そして、取付プレート１と係止部２５ａの間に固定金具２９が設けられている。
作用リンク２１は２本の回動リンク２２の他端同士を連結するように架け渡され、中央部はネジ部材２３で取付プレート１にネジ止めされている。作用リンク２１と取付プレート１とは隙間を有しており、バネ２４が組み込まれている。なお、作用リンク２１の上面は取付金具１８の高さとほぼ同程度にしている。
【００２３】
固定金具２９は、上パンチ７のフランジ部７ａを下から係止するもので、図３に示すように長穴が設けられ、引込リンク２５が係合している。固定金具２９は引込リンク２５を下げた状態では左右方向にスライドできる。
次ぎにこのように構成されたクランプ装置の作用について説明する。
【００２４】
上パンチ７の取付作業は、ダイセットが成型機に取り付けられ、下パンチ１１やコアーロッド１５等がすでに取り付けられた状態で行われる。
上パンチ７の取り付けに際しては、予めネジ部材２３を緩め、固定金具２９を外側へ移動させておく。そして、ダイに成型粉末原料を供給し、上パンチ７を支えながら取付プレート１を下降させ、芯が合っていることを確認して、固定金具２９を中側へ寄せてフランジ部７ａに係合させ、ネジ部材２３をスパナで締め込む。
【００２５】
これにより、２本の回動リンク２２の他端は同時に押し下げられ、支持部材２６のピン２８を支点として回動し、回動リンク２２の一端が上昇し、引込リンク２５を引き上げ、両側の固定金具２９が上パンチ７を同時に締着する。したがって、上パンチ７の芯精度が保持された状態のまま固定される。また、バネ２４によってネジ部材２３が緩むのを防止しているので、プレス作業中に芯がズレることがない。
【００２６】
なお、上パンチ７の取付後に取付プレート１を下降させて組付精度を確認するが、この時、芯がズレている場合には、ネジ部材２３をスパナで逆方向に回動させれば固定金具２９が緩むので、簡便に上パンチ７の取り付け直しをすることができる。
【００２７】
次に、請求項２の発明の実施の形態について図５および図６に基づいて説明する。なお、請求項１の発明の実施の形態での部品が同じものは同じ符号を付して説明を省略する。
このクランプ装置は、一端を取付プレート１上に立設した支持部材２６に連結した回動リンク２２と、回動リンク２２の中央部と固定金具２９を連結した引込リンク２５と、回動リンク２２の他端に係止する作用リンク３１とで構成されている。
【００２８】
回動リンク２２の一端はフォーク状に形成され取付プレート１上にネジで締結された支持部材２６にピン２８で連結されている。そして、回動リンク２２の中央部には楕円状の孔が設けられ、引込リンク２５がピン２７で連結されている。
引込リンク２５は取付プレート１に設けられた孔を貫通し、下端は一段径の大きな係止部２５ａを備えている。そして、取付プレート１と係止部２５ａの間に固定金具２９が設けられている。
【００２９】
作用リンク３１は両端が２本の回動リンク２２の他端と連結され、中央部はネジ部材２３で取付プレート１にネジ止めされている。作用リンク３１と取付プレート１とは隙間を有しており、バネ３３が組み込まれている。
上パンチ７を取り付ける場合は、固定金具２９を中側へ寄せてフランジ部７ａに係合させ、ネジ部材２３をスパナで回動させ、回動リンク２２を上昇させる。
【００３０】
これにより、両回動リンク２２はピン２８を支点として回動し、引込リンク２５を引き上げ、両側の固定金具２９が上パンチ７を同時に締着する。
【００３１】
【発明の効果】
以上説明したように、本発明の金型のクランプ装置は、取付プレート上に立設した支持部材に中央部または一端をピン連結した回動リンクを固定金具の上方にそれぞれ設け、回動リンクの一端または中央部に取付プレートを貫通して固定金具に係止した引込リンクの上部に連結し、回動リンクの他端は中央部をネジ部材で取付プレートに係止した作用リンクの両端部にそれぞれ係止したので、固定金具を締結する機構が取付プレートの上面側となり金型を直接取付プレートへ締着でき、金型の取付スペースが狭められない。また、金型は両側の固定金具によって同時に同じ締着力で締着されるので、金型の芯がズレ難く精度よく簡便に締着できる。
【図面の簡単な説明】
【図１】請求項１の発明の金型のクランプ装置を粉末成型機用のダイセットの上パンチに適用した実施の形態を示す平面図である。
【図２】同  正面図である。なお、作用リンク２１の両端部は図１のＡ−Ａ視、Ｂ−Ｂ視を示している。
【図３】同  図２のＤ−Ｄ視図である。
【図４】同  クランプ装置の斜視図である。
【図５】請求項２の発明の金型のクランプ装置を粉末成型機用のダイセットの上パンチに適用した実施の形態を示す平面図である。
【図６】同  正面図である。なお、作用リンク３１の両端部は図５のＥ−Ｅ視、Ｆ−Ｆ視を示している。
【図７】従来のダイセットの上パンチのクランプ装置を示す正面図である。
【図８】同  ダイセットの全体構成を示す正面図である。
【符号の説明】
１…取付プレート            ２…ダイプレート
３…取付プレート            ４…基台
５、６…ガイド棒            ７…上パンチ
７ａ…フランジ              ８…固定金具
９…締付ボルト            １１…下パンチ
１１ａ…フランジ            １２…固定金具
１３…締付ボルト            １４…ホルダー
１５…コアーロッド          １６…ホルダー
１７…締付ボルト            １８，１９…取付金具
２１…作用リンク            ２２…回動リンク
２３…ネジ部材              ２４…バネ
２５…引込リンク            ２５ａ…係止部
２６…支持部材              ２７，２８…ピン
２９…固定金具              ２９ａ…長穴
３１…作用リンク            ３２…ネジ部材
３３…バネ                  ４１…ホルダー
４２…クランプレバー        ４３…ピン
４４…回動リンク            ４５…伸縮ロッド
４６…固定金具
【図１】
0003680037.tif 000002
【図２】
0003680037.tif 000003
【図３】
0003680037.tif 000004
【図４】
0003680037.tif 000005
【図５】
0003680037.tif 000006
【図６】
0003680037.tif 000007
【図７】
0003680037.tif 000008
【図８】
0003680037.tif 000009